(57)【特許請求の範囲】
【請求項１】
電力増幅器から出力される送信信号を整流する第一の整流回路と、
前記第一の整流回路と同一構成の第二の整流回路と、
対数増幅器とを備え、
前記対数増幅器を、前記第一の整流回路の出力電圧に比例した電流を出力する電圧電流変換回路と、
前記電流を通流して前記電流の対数に比例した電圧がその両端間に表れる二端子型のＰＮ接合型電子素子と、反転回路と、増幅回路とから構成し、
前記第一及び第二の整流回路の整流子に同一のバイアス電圧を印加し、
前記第二の整流回路には、前記バイアス電圧のみ印加され、
前記電圧電流変換回路は、差動動作を行う第一及び第二のトランジスタと、前記第一及び第二のトランジスタの双方のエミッタに接続された定電流源と、前記第一及び第二のトランジスタの双方のコレクタに接続された第一のカレントミラー回路と、前記第一のカレントミラー回路及び前記第二のトランジスタのコレクタに接続された第二のカレントミラー回路を有し、
前記第一のトランジスタまたは前記第二のトランジスタの一方のトランジスタのベースに前記第一の整流回路の出力電圧が入力され、
前記第一のトランジスタまたは前記第二のトランジスタの他方のトランジスタのベースに前記第二の整流回路の出力電圧が入力され、
前記第一のカレントミラー回路の入力端を前記第一のトランジスタのコレクタに接続すると共に、
前記第一のカレントミラー回路の出力端を前記第二のトランジスタのコレクタに接続し、
前記第一のカレントミラー回路は、入力端と出力端に流れる電流が等しく、
前記第一のカレントミラー回路の出力端と前記第二のトランジスタのコレクタを前記第二のカレントミラー回路の入力端に接続し、
前記第二のカレントミラー回路の出力電流と等しい大きさの電流を前記ＰＮ接合型電子素子に通流するように接続し、
定電圧から前記ＰＮ接合型電子素子の両端間に表れる電圧を電圧降下した電圧が前記反転回路に入力され、
前記反転回路から前記ＰＮ接合型電子素子の両端間に表れる電圧に比例した電流を出力して、前記増幅回路に入力され、
前記増幅回路では、電流増幅された電流を一端が接地された抵抗に通流し、前記抵抗の他端に表れる電位を出力する
ことを特徴とする送信器の検波回路。
【請求項２】
電力増幅器から出力される送信信号を整流する第一の整流回路と、
前記第一の整流回路と同一構成の第二の整流回路と、
対数増幅器とを備え、
前記対数増幅器を、前記第一の整流回路の出力電圧に比例した電流を出力する電圧電流変換回路と、
前記電流を通流して前記電流の対数に比例した電圧がその両端間に表れる二端子型のＰＮ接合型電子素子と、反転回路と、増幅回路とから構成し、
前記第一及び第二の整流回路の整流子に同一のバイアス電圧を印加し、
前記第二の整流回路には、前記バイアス電圧のみ印加され、
前記電圧電流変換回路は、差動動作を行う第一及び第二のトランジスタと、前記第一及び第二のトランジスタの双方のコレクタに接続された定電流源と、前記第一及び第二のトランジスタの双方のエミッタに接続された第一のカレントミラー回路と、前記第一のカレントミラー回路及び前記第二のトランジスタのエミッタに接続された第二のカレントミラー回路を有し、
前記第一のトランジスタまたは前記第二のトランジスタの一方のトランジスタのベースに前記第一の整流回路の出力電圧が入力され、
前記第一のトランジスタまたは前記第二のトランジスタの他方のトランジスタのベースに前記第二の整流回路の出力電圧が入力され、
前記第一のカレントミラー回路の入力端を前記第一のトランジスタのエミッタに接続すると共に、
前記第一のカレントミラー回路の出力端を前記第二のトランジスタのエミッタに接続し、
前記第一のカレントミラー回路は、入力端と出力端に流れる電流が等しく、
前記第一のカレントミラー回路の出力端と前記第二のトランジスタのエミッタを前記第二のカレントミラー回路の入力端に接続し、
前記第二のカレントミラー回路の出力電流と等しい大きさの電流を前記ＰＮ接合型電子素子に通流するように接続し、
定電圧から前記ＰＮ接合型電子素子の両端間に表れる電圧を電圧降下した電圧が前記反転回路に入力され、
前記反転回路から前記ＰＮ接合型電子素子の両端間に表れる電圧に比例した電流を出力して、前記増幅回路に入力され、
前記増幅回路では、電流増幅された電流を一端が接地された抵抗に通流し、前記抵抗の他端に表れる電位を出力する
ことを特徴とする送信器の検波回路。
【請求項３】
前記ＰＮ接合型電子素子は、トランジスタからなり、前記ＰＮ接合型電子素子のトランジスタのベースとコレクタとを接続して構成されたことを特徴とする請求項１または請求項２に記載の送信器の検波回路。
【請求項４】
前記ＰＮ接合型電子素子をダイオードで構成したことを特徴とする請求項１または請求項２に記載の送信器の検波回路。
【発明の詳細な説明】
【０００１】
【発明の属する技術分野】
本発明は、送信器の出力電力を検波する回路に関する。
【０００２】
【従来の技術】
携帯電話機等に用いられる従来の送信器の検波回路を図４に従って説明する。送信信号は、電力増幅器５１で所定の出力電力まで増幅され、アンテナ５２から送信される。電力増幅器５１の送信信号の一部は検波回路５３で倍電圧整流されてから、電力増幅器５１へＡＧＣ電圧として出力される。そして、電力増幅器５１の出力電圧が一定となるように電力増幅器５１の増幅度が制御される。
【０００３】
検波回路５３は、バイアス電圧源５４によって順方向の電圧を与えられる第一のダイオード５５と第一のダイオード５５のカソードにアノードが接続される第二のダイオード５６とを有している。第一のダイオード５５のアノードは直流阻止コンデンサ６１を介して接地されており、第二のダイオード５６のカソードは平滑コンデンサ６２を介して接地されている。第二のダイオード５６のカソードは、直列接続された第一の抵抗５７と第二の抵抗５８とを介してグランドに接続されている。第一の抵抗５７と第二の抵抗５８との接続点は、出力端６３に接続されている。
【０００４】
以上の構成に於ける検波回路５３の動作は、次の通りとなる。電力増幅器５１からの送信信号の一部が充電コンデンサ５９、直列抵抗６０を介して第一のダイオード５５のカソードと第二のダイオード５６のアノードとの接続点に入力される。送信信号は倍電圧整流され、第一の抵抗５７と第二の抵抗５８との接続点から出力電力に比例した電圧が出力され、出力端６３から電力増幅器５１へＡＧＣ電圧として印加される。
【０００５】
【発明が解決しようとする課題】
上記の構成においては、検波回路５３のダイナミックレンジが狭いため、送信信号の出力電力のダイナミックレンジも狭くなるという問題があった。
【０００６】
そこで、本発明の目的は、ダイナミックレンジの広い検波回路を提供することにある。
【０００７】
【課題を解決するための手段】
以上の課題を解決するために、本発明の送信器の検波回路は、電力増幅器から出力される送信信号を整流する第一の整流回路と、前記第一の整流回路と同一構成の第二の整流回路と、対数増幅器とを備え、前記対数増幅器を、前記第一の整流回路の出力電圧に比例した電流を出力する電圧電流変換回路と、前記電流を通流して前記電流の対数に比例した電圧がその両端間に表れる二端子型のＰＮ接合型電子素子と、反転回路と、増幅回路とから構成し、前記第一及び第二の整流回路の整流子に同一のバイアス電圧を印加し、前記第二の整流回路には、前記バイアス電圧のみ印加され、前記電圧電流変換回路は、差動動作を行う第一及び第二のトランジスタと、前記第一及び第二のトランジスタの双方のエミッタに接続された定電流源と、前記第一及び第二のトランジスタの双方のコレクタに接続された第一のカレントミラー回路と、前記第一のカレントミラー回路及び前記第二のトランジスタのコレクタに接続された第二のカレントミラー回路を有し、前記第一のトランジスタまたは前記第二のトランジスタの一方のトランジスタのベースに前記第一の整流回路の出力電圧が入力され、前記第一のトランジスタまたは前記第二のトランジスタの他方のトランジスタのベースに前記第二の整流回路の出力電圧が入力され、前記第一のカレントミラー回路の入力端を前記第一のトランジスタのコレクタに接続すると共に、前記第一のカレントミラー回路の出力端を前記第二のトランジスタのコレクタに接続し、前記第一のカレントミラー回路は、入力端と出力端に流れる電流が等しく、前記第一のカレントミラー回路の出力端と前記第二のトランジスタのコレクタを前記第二のカレントミラー回路の入力端に接続し、前記第二のカレントミラー回路の出力電流と等しい大きさの電流を前記ＰＮ接合型電子素子に通流するように接続し、定電圧から前記ＰＮ接合型電子素子の両端間に表れる電圧を電圧降下した電圧が前記反転回路に入力され、前記反転回路から前記ＰＮ接合型電子素子の両端間に表れる電圧に比例した電流を出力して、前記増幅回路に入力され、前記増幅回路では、電流増幅された電流を一端が接地された抵抗に通流し、前記抵抗の他端に表れる電位を出力するように構成した。
また、本発明の他の検波回路は、電力増幅器から出力される送信信号を整流する第一の整流回路と、前記第一の整流回路と同一構成の第二の整流回路と、対数増幅器とを備え、前記対数増幅器を、前記第一の整流回路の出力電圧に比例した電流を出力する電圧電流変換回路と、前記電流を通流して前記電流の対数に比例した電圧がその両端間に表れる二端子型のＰＮ接合型電子素子と、反転回路と、増幅回路とから構成し、前記第一及び第二の整流回路の整流子に同一のバイアス電圧を印加し、前記第二の整流回路には、前記バイアス電圧のみ印加され、前記電圧電流変換回路は、差動動作を行う第一及び第二のトランジスタと、前記第一及び第二のトランジスタの双方のコレクタに接続された定電流源と、前記第一及び第二のトランジスタの双方のエミッタに接続された第一のカレントミラー回路と、前記第一のカレントミラー回路及び前記第二のトランジスタのエミッタに接続された第二のカレントミラー回路を有し、前記第一のトランジスタまたは前記第二のトランジスタの一方のトランジスタのベースに前記第一の整流回路の出力電圧が入力され、前記第一のトランジスタまたは前記第二のトランジスタの他方のトランジスタのベースに前記第二の整流回路の出力電圧が入力され、前記第一のカレントミラー回路の入力端を前記第一のトランジスタのエミッタに接続すると共に、前記第一のカレントミラー回路の出力端を前記第二のトランジスタのエミッタに接続し、前記第一のカレントミラー回路は、入力端と出力端に流れる電流が等しく、前記第一のカレントミラー回路の出力端と前記第二のトランジスタのエミッタを前記第二のカレントミラー回路の入力端に接続し、前記第二のカレントミラー回路の出力電流と等しい大きさの電流を前記ＰＮ接合型電子素子に通流するように接続し、定電圧から前記ＰＮ接合型電子素子の両端間に表れる電圧を電圧降下した電圧が前記反転回路に入力され、前記反転回路から前記ＰＮ接合型電子素子の両端間に表れる電圧に比例した電流を出力して、前記増幅回路に入力され、前記増幅回路では、電流増幅された電流を一端が接地された抵抗に通流し、前記抵抗の他端に表れる電位を出力するように構成した。
【００１０】
また、本発明の検波回路の前記ＰＮ接合型電子素子は、第三のトランジスタからなり、前記第三のトランジスタのベースとコレクタとを接続して構成された。
【００１１】
また、本発明の検波回路の前記ＰＮ接合型電子素子をダイオードで構成したことを特徴とする請求項１乃至３のいずれかに記載の送信器の検波回路。
【００１４】
【発明の実施の形態】
まず、本発明の送信器の検波回路の一実施例を図１に従って説明する。送信信号は、電力増幅器１で増幅された後、所定の出力電力まで増幅されてアンテナ２から送信される。電力増幅器１から出力された送信信号の一部は、検波回路３に入力され検波される。検波された電圧は、電力増幅器１にＡＧＣ電圧として入力され、電力増幅器１の出力電圧が一定となるように電力増幅器１の増幅度を制御する。
【００１５】
検波回路３は、第一の整流回路４と第二の整流回路５と対数増幅器６とから構成される。第一の整流回路４は、ダイオードからなる２つの整流子を有しており、第一の整流子８と第二の整流子９とが直列に接続され、バイアス電圧源７によって順方向の電圧を与えられている。第一の整流子８のアノードは第一の直流阻止コンデンサ１２を介して接地されており、第二の整流子９のカソードは第一の平滑コンデンサ１４を介して接地されている。第二の整流子９のカソードは、直列接続された第一の抵抗１６と第二の抵抗１７とを介して接地されている。第一の抵抗１６と第二の抵抗１７との接続点は、対数増幅器６の第一の入力端子２１に接続される。
【００１６】
対数増幅器６の第二の入力端子２２には、第二の整流回路５が接続される。第二の整流回路５は、第一の整流回路４と同一の構成となっている。第二の整流回路５は、第三の整流子１０と、第三の整流子１０のカソードにアノードが接続される第四の整流子１１とを有している。第三の整流子１０のアノードは第二の直流阻止コンデンサ１３を介して接地されており、第四の整流子１１のカソードは第二の平滑コンデンサ１５を介して接地されている。第四の整流子１１のカソードは、直列接続された第三の抵抗１８と第四の抵抗１９とを介してグランドに接続されている。そして、第三の整流子１０と第四の整流子１１とにはバイアス電圧源７からバイアス電圧が与えられる。第三の抵抗１８と第四の抵抗１９との接続点は、対数増幅器６の第二の入力端子２２に接続される。
【００１７】
対数増幅器６は、１つの集積回路内に設けられており、電圧電流変換回路２３と、ＰＮ接合型電子素子３１と、反転回路３３と、増幅回路３９とから構成される。
【００１８】
電圧電流変換回路２３は、第一の入力端子２１にベースが接続されるＰＮＰ型の第三のトランジスタ２７と第三のトランジスタ２７のエミッタにベースが接続されるＰＮＰ型の第一のトランジスタ２５と、第二の入力端子２２にベースが接続されるＰＮＰ型の第四のトランジスタ２８と、第四のトランジスタ２８のエミッタにベースが接続されるＰＮＰ型の第二のトランジスタ２６と、第一のトランジスタ２５と第二のトランジスタ２６とのエミッタに接続される第一の定電流源２４と、第一のトランジスタ２５のコレクタに入力端子が接続され、第二のトランジスタ２６のコレクタに出力端子が接続される第一のカレントミラー回路２９と、第二のトランジスタ２６のコレクタに入力端子が接続される第二のカレントミラー回路３０とを有している。第一のトランジスタ２５と、第二のトランジスタ２６とは、差動動作を行う差動増幅器を構成している。第二のトランジスタ２６のコレクタは集積回路外に設けられた調整用抵抗２０を介して接地されている。調整用抵抗２０は、集積回路内の第一のトランジスタ２５と第二のトランジスタ２６、及び第三のトランジスタ２７と第四のトランジスタ２８との特性のばらつきを相殺するために所定の電流を電圧電流変換回路２３の外へ流すための抵抗である。
【００１９】
ＰＮ接合型電子素子３１は、ＮＰＮ型のトランジスタからなり、ベースとコレクタとが接続され抵抗３２を介して３Ｖの定電圧Ｖｃｃが印加され、エミッタには、第二のカレントミラー回路３０の出力端が接続される。
【００２０】
反転回路３３は、第五のトランジスタ３４と、第六のトランジスタ３５とからなる差動増幅器と、第三のカレントミラー回路３８とからなる。そして、第五のトランジスタ３４と第六のトランジスタ３５との各エミッタが第二の定電流源３７に接続される。第六のトランジスタ３５のコレクタは第三のカレントミラー回路３８の入力端に接続される。第五のトランジスタ３４のベースは、ＰＮ接合型電子素子３１のエミッタに接続され、第六のトランジスタ３５のベースには、第七のトランジスタ３６によって電圧降下された電圧が印加される。
【００２１】
増幅回路３９は、第四のカレントミラー回路４０と第五のカレントミラー回路４１とから構成される。第四のカレントミラー回路４０は、出力側のトランジスタ４０ｂのベース＝エミッタ間の面積が入力側のトランジスタ４０ａのベース＝エミッタ間の面積の５倍となっており、入力端から流入する電流を５倍にして出力端から流出させている。第四のカレントミラー回路４０の出力は、第五のカレントミラー回路４１を介して電力増幅器１にＡＧＣ電圧として出力される。
【００２２】
以上の構成において、この実施例の送信器の検波回路の動作は、次の通りとなる。送信信号が電力増幅器１で増幅されてアンテナ２から送信される。電力増幅器１の出力端は、検波回路３にも接続されており、増幅された送信信号が検波回路３に入力される。
【００２３】
検波回路３に入力された送信信号は、第一の整流回路４で倍電圧整流されてその出力電圧が対数増幅器６の第一の入力端子２１に入力される。
【００２４】
対数増幅器６に入力された出力電圧は、電圧電流変換回路２３の第三のトランジスタ２７で増幅されてから、第一のトランジスタ２５に入力される。一方、第二の整流回路５の出力電圧は基準電圧として、第四のトランジスタ２８で増幅されてから、第二のトランジスタ２６に入力される。そして、第一のトランジスタ２５と第二のトランジスタ２６とによって差動増幅される。
【００２５】
ここで、第一の整流回路４の出力電圧をＶ１［Ｖ］、第二の整流回路５の出力電圧をＶ２［Ｖ］、第一の定電流源２４から流れる電流をＩＴ［ｍＡ］とすると、第一のトランジスタ２５のコレクタから第一のカレントミラー回路２９に入力される電流Ｉ１［ｍＡ］は、次の式で表される。
【００２６】
【数１】
0004365541.tif 000002
【００２７】
また、第二のトランジスタ２６から流れる電流Ｉ２［ｍＡ］は、次の式で表される。
【００２８】
【数２】
0004365541.tif 000003
【００２９】
従って、第一のカレントミラー回路２９の入力端と出力端に流れる電流を等しくすると、第二のカレントミラー回路３０に入力される電流Ｉ３［ｍＡ］は、次の式で表される。
【００３０】
【数３】
0004365541.tif 000004
【００３１】
そして、第二のカレントミラー回路３０から出力される電流Ｉ４［ｍＡ］は、電流Ｉ３［ｍＡ］に等しいので、第一の整流回路４と第二の整流回路５との出力電圧の差の電圧に比例することとなる。また、第一の整流回路４と第二の整流回路５とに印加されるバイアス電圧源７は同一であるため、ＰＮ接合型電子素子３１に通流する電流は、送信信号の電圧に比例することになる。
【００３２】
ＰＮ接合型電子素子３１に通流する電流をＩ４、ボルツマン定数をｋ、温度をＴ、電子の電荷量をｑ、ＰＮ接合型電子素子３１のベース・エミッタ間逆方向電流をＩｓとおくと、ＰＮ接合型電子素子３１のベースとエミッタとの間に発生する電圧Ｖｂｅは、次の式で表される。
【００３３】
【数４】
0004365541.tif 000005
【００３４】
電流Ｉ４は、送信信号の電圧に比例するのでＩ４＝ｍ２Ｖｉｎとおくと、Ｖｂｅは次の式で表される。
【００３５】
【数５】
0004365541.tif 000006
【００３６】
反転回路３３には、ＰＮ接合型電子素子３１のエミッタの電圧が入力されるので、反転回路３３に入力される電圧Ｖｏは、次の式で表される。但し、定電圧Ｖｃｃの電圧をＶｃｃ［Ｖ］、抵抗３２の抵抗値をＲ［Ω］とする。
【００３７】
【数６】
0004365541.tif 000007
【００３８】
第七のトランジスタ３６の電圧降下が適当な大きさとなるように設計すると、反転回路３３から出力される電流Ｉ５［ｍＡ］は、次の式で表される。
【００３９】
【数７】
0004365541.tif 000008
【００４０】
電流Ｉ５は、第三のカレントミラー回路３８に入力され、同じ大きさの電流Ｉ６が増幅回路３９に入力される。増幅回路３９の第四のカレントミラー回路４０で電流Ｉ６が５倍の大きさに増幅され、第五のカレントミラー回路４１に電流Ｉ７が入力される。そして、第五のカレントミラー回路４１から出力される電流Ｉ８が抵抗４２ａ、４２ｂで分圧されて電流Ｉ８に比例した電圧が出力され、電力増幅器１にＡＧＣ電圧として入力される。従って、ＡＧＣ電圧は電流Ｉ５に比例するので、ＡＧＣ電圧は次の式で表される。
【００４１】
【数８】
0004365541.tif 000009
【００４２】
次に、図２に基づいて本発明の送信器の検波回路の他の実施形態を説明する。この実施形態において図１に示した一実施の形態との相違点は、第一の整流回路４の出力が第二のトランジスタ２６のベースに接続されており、第二の整流回路５の出力が第一のトランジスタ２５のベースに接続されている点と、第一〜第四のトランジスタ２５〜２８がＮＰＮ型トランジスタから構成されている点と、ＰＮ接合型電子素子３１’がダイオードで構成されている点である。この場合でも、ＰＮ接合型電子素子３１’からは、送信信号の電圧の対数に比例した電圧が出力される。
【００４３】
ここで、本実施形態の検波回路３の動作を説明すると、次の通りである。送信信号は、第一の整流回路４で倍電圧検波され、対数増幅器６の第二の入力端子２２に入力される。一方、第二の整流回路５の出力が第一の入力端子２１に接続される。
【００４４】
第一の整流回路４の出力電圧をＶ１［Ｖ］、第二の整流回路５の出力電圧をＶ２［Ｖ］、第一の定電流源２４から流れる電流をＩＴ［ｍＡ］とすると、第一のトランジスタ２５のコレクタから第一のカレントミラー回路２９に入力される電流Ｉ１［ｍＡ］は、次の式で表される。
【００４５】
【数９】
0004365541.tif 000010
【００４６】
また、第二のトランジスタ２６から流れる電流Ｉ２［ｍＡ］は、次の式で表される。
【００４７】
【数１０】
0004365541.tif 000011
【００４８】
従って、第二のカレントミラー回路３０に入力される電流Ｉ３［ｍＡ］は、次の式で表される。
【００４９】
【数１１】
0004365541.tif 000012
【００５０】
そして、第二のカレントミラー回路３０から出力される電流Ｉ４［ｍＡ］は、電流Ｉ３［ｍＡ］に等しいので、第一の整流回路４と第二の整流回路５との出力電圧の差の電圧に比例することとなる。また、第一の整流回路４と第二の整流回路５とに印加されるバイアス電圧源７は同一であるため、ＰＮ接合型電子素子３１’に通流する電流は、送信信号の電圧に比例することになる。
【００５１】
ＰＮ接合型電子素子３１’に通流する電流をＩ４［ｍＡ］とおくと、ＰＮ接合型電子素子３１のアノードとカソードとの間に発生する電圧は、次の式で表される。
【００５２】
【数１２】
0004365541.tif 000013
【００５３】
反転回路３３と、増幅回路３９との動作は図１の実施例と同様であるので説明を省略する。
【００５４】
次に、図３に基づいて本発明の送信器の検波回路の更に他の実施形態を説明する。この実施形態において図１に示した一実施の形態との相違点は、差動増幅器を構成する第一のトランジスタ２５と第二のトランジスタ２６との電源側に第一のカレントミラー回路２９と第二のカレントミラー回路３０とが設けられ、第一の定電流源２４がグランド側に設けられている点と、調整用抵抗２０の一端が第一のトランジスタ２５と第一のカレントミラー回路２９の入力端との間に接続され、調整用抵抗２０の他端に電原電圧が印加されている点と、第二のカレントミラー回路３０とＰＮ接合型電子素子３１との間に第六のカレントミラー回路４３を設けた点である。この場合でも、電圧電流変換回路２３からは、送信信号の電圧に比例した電流が出力される。
【００５５】
ここで、本実施形態の検波回路３の動作を説明すると、次の通りである。送信信号は、第一の整流回路４で倍電圧検波され、対数増幅器６の第一の入力端子２１に入力される。一方、第二の整流回路５の出力が第二の入力端子２２に入力される。
【００５６】
第一の整流回路４の出力電圧をＶ１［Ｖ］、第二の整流回路５の出力電圧をＶ２［Ｖ］、第一の定電流源２４から流れる電流をＩＴ［ｍＡ］とすると、第一のトランジスタ２５のコレクタから第一のカレントミラー回路２９に入力される電流Ｉ１［ｍＡ］は、次の式で表される。
【００５７】
【数１３】
0004365541.tif 000014
【００５８】
また、第二のトランジスタ２６から流れる電流Ｉ２［ｍＡ］は、次の式で表される。
【００５９】
【数１４】
0004365541.tif 000015
【００６０】
従って、第二のカレントミラー回路３０に入力される電流Ｉ３［ｍＡ］は、次の式で表される。
【００６１】
【数１５】
0004365541.tif 000016
【００６２】
そして、第二のカレントミラー回路３０から出力される電流Ｉ４［ｍＡ］と第六のカレントミラー回路４３から出力される電流Ｉ９［ｍＡ］とは、電流Ｉ３［ｍＡ］に等しいので、第一の整流回路４と第二の整流回路５との出力電圧の差の電圧に比例することとなる。また、第一の整流回路４と第二の整流回路５とに印加されるバイアス電圧源７は同一であるため、ＰＮ接合型電子素子３１に通流する電流は、送信信号の電圧に比例することになる。
【００６３】
ＰＮ接合型電子素子３１と、反転回路３３と、増幅回路３９との動作は第一の実施例と同様であるので説明を省略する。
【００６４】
【発明の効果】
以上のように、請求項１に係る本発明の送信器の検波回路は、電力増幅器から出力される送信信号を整流する第一の整流回路と、前記第一の整流回路と同一構成の第二の整流回路と、対数増幅器とを備え、前記対数増幅器を、前記第一の整流回路の出力電圧に比例した電流を出力する電圧電流変換回路と、前記電流を通流して前記電流の対数に比例した電圧がその両端間に表れる二端子型のＰＮ接合型電子素子と、反転回路と、増幅回路とから構成し、前記第一及び第二の整流回路の整流子に同一のバイアス電圧を印加し、前記第二の整流回路には、前記バイアス電圧のみ印加され、前記電圧電流変換回路は、差動動作を行う第一及び第二のトランジスタと、前記第一及び第二のトランジスタの双方のエミッタに接続された定電流源と、前記第一及び第二のトランジスタの双方のコレクタに接続された第一のカレントミラー回路と、前記第一のカレントミラー回路及び前記第二のトランジスタのコレクタに接続された第二のカレントミラー回路を有し、前記第一のトランジスタまたは前記第二のトランジスタの一方のトランジスタのベースに前記第一の整流回路の出力電圧が入力され、前記第一のトランジスタまたは前記第二のトランジスタの他方のトランジスタのベースに前記第二の整流回路の出力電圧が入力され、前記第一のカレントミラー回路の入力端を前記第一のトランジスタのコレクタに接続すると共に、前記第一のカレントミラー回路の出力端を前記第二のトランジスタのコレクタに接続し、前記第一のカレントミラー回路は、入力端と出力端に流れる電流が等しく、前記第一のカレントミラー回路の出力端と前記第二のトランジスタのコレクタを前記第二のカレントミラー回路の入力端に接続し、前記第二のカレントミラー回路の出力電流と等しい大きさの電流を前記ＰＮ接合型電子素子に通流するように接続し、定電圧から前記ＰＮ接合型電子素子の両端間に表れる電圧を電圧降下した電圧が前記反転回路に入力され、前記反転回路から前記ＰＮ接合型電子素子の両端間に表れる電圧に比例した電流を出力して、前記増幅回路に入力され、前記増幅回路では、電流増幅された電流を一端が接地された抵抗に通流し、前記抵抗の他端に表れる電位を出力するので、独立した差動増幅器が無くても電源電圧の変動の影響を受けにくい検波回路を小型の回路で実現することができる。また、前記第一及び第二のトランジスタに対する定電流源ならびに第一及び第二のカレントミラー回路の接続関係を、前記第一および第二のトランジスタのエミッタとコレクタとを逆にして接続した場合においても、前記と同様に独立した差動増幅器が無くても電源電圧の変動の影響を受けにくい検波回路を小型の回路で実現することができる。なお、本発明の送信器の検波回路は、第一の整流回路と同一構成の第二の整流回路を設け、第一及び第二の整流回路の整流子に同一のバイアス電圧を印加したので、整流子の特性が温度によって変化しても検波回路の出力電圧は温度による影響を受けない。
【００６７】
また、請求項２に係る本発明の送信器の検波回路のＰＮ接合型電子素子は、トランジスタで構成したので、対数変換素子のサイズを小さくできる。
【００６８】
また、請求項３に係る本発明の送信器の検波回路のＰＮ接合型電子素子は、ダイオードで構成したので、対数変換素子のサイズを小さくできる。
【００７０】
また、本発明の送信器の検波回路は、第一のトランジスタまたは第二のトランジスタと第一のカレントミラー回路との接続点を調整用抵抗を介してグランドまたは電源電圧に接続したので、集積回路内の第一トランジスタと第二のトランジスタとのロット毎の誤差をディスクリート部品で補正できる。
【図面の簡単な説明】
【図１】本発明の送信器の検波回路の一実施形態を示す回路図である。
【図２】本発明の送信器の検波回路の別の実施形態を示す回路図である。
【図３】本発明の送信器の検波回路の更に別の実施形態を示す回路図である。
【図４】従来の送信器の検波回路を示す回路図である。
【符号の説明】
１  電力増幅器
２  アンテナ
３  検波回路
４  第一の整流回路
５  第二の整流回路
６  対数増幅器
７  バイアス電圧源
８  第一の整流子
９  第二の整流子
１０  第三の整流子
１１  第四の整流子
１２  第一の直流阻止コンデンサ
１３  第二の直流阻止コンデンサ
１４  第一の平滑コンデンサ
１５  第二の平滑コンデンサ
１６  第一の抵抗
１７  第二の抵抗
１８  第三の抵抗
１９  第四の抵抗
２０  調整用抵抗
２１  第一の入力端子
２２  第二の入力端子
２３  電圧電流変換回路
２４  第一の定電流源
２５  第一のトランジスタ
２６  第二のトランジスタ
２７  第三のトランジスタ
２８  第四のトランジスタ
２９  第一のカレントミラー回路
３０  第二のカレントミラー回路
３１  ＰＮ接合型電子素子
３２  抵抗
３３  反転回路
３４  第五のトランジスタ
３５  第六のトランジスタ
３６  第七のトランジスタ
３７  第二の定電流源
３８  第三のカレントミラー回路
３９  増幅回路
４０  第四のカレントミラー回路
４１  第五のカレントミラー回路
４２ａ、４２ｂ  抵抗
４３  第六のカレントミラー回路
【図１】
0004365541.tif 000017
【図２】
0004365541.tif 000018
【図３】
0004365541.tif 000019
【図４】
0004365541.tif 000020